(57)【要約】【課題】天井直付け型の照明器具の軽量化や薄型化を図る。【解決手段】回路基板２２１にＬＥＤ２２２が実装されたＬＥＤモジュール２２を、外方に突出した凹部２１２が形成されたシャーシ２１に設置する。天井板１９に形成された埋込孔１９１に、凹部２１２を嵌挿する取付具２５を取り付けた。【選択図】図３
2013062062.tif 000002
【特許請求の範囲】
【請求項１】
回路基板にＬＥＤを実装したＬＥＤモジュールと、
前記ＬＥＤモジュールが設置されるとともに、外方に突出した凹部が形成されたシャーシと、
天井板に形成した埋込孔に装着可能に構成され、前記凹部を嵌挿する取付具と、を有することを特徴とする照明器具。
【発明の詳細な説明】
【技術分野】
【０００１】
この発明の実施形態は、例えば天井部に設置される照明器具に関する。
【背景技術】
【０００２】
従来、照明器具を天井構造物に取り付ける場合は、照明器具の器具本体に、長孔状の孔部を形成した被支持部を設け、天井から鉛直に支持された吊りボルトに器具本体をナットで取り付けるものが知られている。またこれとは別に、野縁材と称される天井構造物に取り付けるクリップを上記孔部に係止することで、野縁材に照明器具を取り付けたものが考えられている。
【先行技術文献】
【特許文献】
【０００３】
【特許文献１】特開２００２−１００２３４号公報
【発明の概要】
【発明が解決しようとする課題】
【０００４】
天井からの吊りボルトに照明器具を取り付ける場合は、照明器具のシャーシ面よりも下方に向かって吊りボルトが突出してしまうことから、吊りボルトがＬＥＤモジュール等の光源に干渉してしまう恐れがあった。そのため、照明器具を薄型化するには難があった。
【０００５】
この実施形態は、薄型化が可能な照明器具を提供することにある。
【課題を解決するための手段】
【０００６】
この実施形態によれば、回路基板にＬＥＤを実装したＬＥＤモジュールと、前記ＬＥＤモジュールが設置されるとともに、外方に突出した凹部が形成されたシャーシと、天井板に形成した埋込孔に装着可能に構成され、前記凹部を嵌挿する取付具と、を有することを特徴とする。
【発明の効果】
【０００７】
この発明の実施形態によれば、照明器具の薄型化を実現することができる。
【図面の簡単な説明】
【０００８】
【図１】照明器具に関する一実施形態について説明するための一部切欠して示す斜視図である。
【図２】図１の正面図である。
【図３】図２のＩａ−Ｉｂ線の分解断面図である。
【図４】図２のＩａ−Ｉｂ線の断面図である。
【図５】図４の一部を拡大して示す断面図である。
【図６】図２のIIａ−IIｂ線側断面図である。
【発明を実施するための形態】
【０００９】
以下、実施形態について、図面を参照しながら詳細に説明する。
【００１０】
図１〜図６は、照明器具に関する一実施形態について説明するためのものであり、図１は一部を切欠して示す斜視図、図２は正面図、図３は図２のＩａ−Ｉｂ線の分解断面図、図４は図２のＩａ−Ｉｂ線の断面図、図５は図４の一部を拡大して示す断面図、図６は図２のIIａ−IIｂ線側断面図である。
【００１１】
図１において、１１は、例えばオフィスビルの天井スラブなどの天井構造物に一端が埋設固定され鉛直に垂下する複数の吊りボルトである。各吊りボルト１１には、ナット１２などを用いて野縁材吊り金具であるハンガー１３が取り付けられ、このハンガー１３により、支持部材である野縁材１４が複数支持されている。なお、各野縁材１４は、断面略コの字状をなし、互いに平行に複数設置されている。
【００１２】
さらに、野縁材1４と交差する方向、例えば直交する方向には、シングル野縁受け材１５がシングルクリップ１６により、ダブル野縁受け材１７がダブルクリップ１８によりそれぞれ取り付けられている。シングル野縁受け材１５およびダブル野縁受け材１７には天井板１９が取り付けられる。
【００１３】
この照明器具２０は、金型で成形された例えば金属製で長方形型の箱状シャーシ２１と、このシャーシ２１の開放部に配置されるＬＥＤ（発光ダイオード）モジュール２２、このＬＥＤモジュール２２の発光面を覆う拡散透光性のカバー２３から構成される。カバー２３は、拡散性を持たせるために、例えばアクリル樹脂の成形体の表面にフロスト加工が施されたものが使用される。
【００１４】
シャーシ２１の底面部２１１の例えば長手方向の２ヵ所には、図３および図４に示すように、上方に突出する有底円筒状の凹部２１２を形成するとともに、後述する取付けボルト３０を挿通させることのできる大きさの取付孔２１３を形成する。２１４は、取付けボルト３０に螺合させるナットである。また、シャーシ２１の開口２１５には、金属製の基板２４が載置される。
【００１５】
ＬＥＤモジュール２２は、放熱性および絶縁性を備えた回路基板２２１上に、複数のＬＥＤ２２２が実装されたものである。この実施形態でのＬＥＤモジュール２２は、長手方向に沿って並設されたＬＥＤ２２が取着された側の回路基板２２１の面とは反対面を、基板２４に固定している。ＬＥＤ２２の発熱が回路基板２２１および基板２４を介して効果的に放熱される。
【００１６】
各ＬＥＤ２２２は、図示しない配線パターンなどを介して電気的に直列に接続されている。ＬＥＤ２２２は、所要の発光色（色温度）のものを選択することができ、例えば、昼白色や電球色に相当する発光色を選択することができる。
【００１７】
天井板１９には図３〜図６に示すように、シャーシ２１の２ヶ所に形成された凹部２１２と対応する位置に、直径１００ｍｍ程度の埋込孔１９１が形成される。埋込孔１９１には、底部２５１を有し開放部の端部から側方に広がる鍔部２５２が形成された筒状の取付具２５が装着される。鍔部２５２は、取付具２５が必要以上に埋込孔１９１に入り込まなくするためのストッパーの役目を果たすものである。取付具２５の内径は、シャーシ２１の凹部２１２を嵌挿できる程度の大きさとなっている。取付具２５の底２５１の中心には取付けボルト３０の一端が固定され、取付具２５の軸方向長さを越えない程度の長さで下方に垂下している。また、取付具２５の側面には、天井板１９に取付具２５を装着した際に天井板１９よりも上方に位置する切込部２５４が形成される。
【００１８】
２６はチェーンであり、一端がシャーシ２１の凹部２１２の一部に、他端が取付具２５の底部２５１付近に取り付けられている。チェーン２６は、例えば取付具２５の軸方向長さの２倍程度の長さを有し、シャーシ２１の落下防止の機能を備える。
【００１９】
また、２７は、例えばＡＣ／ＤＣ変換部や整流器などが一体的に収納された電源ユニットであり、天井板１９の裏、野縁材１４、シングル野縁受け材１５あるいはダブル野縁受け材１７のいずれかに設置される。
【００２０】
さらに、２８は、取付具２５の底部２５１に取り付けられたコネクタであり、このコネクタ２８は、ＬＥＤモジュール２２の交換時などに電源ユニット２７およびＬＥＤモジュール２２を電気的に接続／分離するためのものである。
【００２１】
次に、図３〜図６を参照しながら照明器具２０を天井板１９へ取り付ける方法について説明する。
【００２２】
まず、取付具２５の鍔部２５２が天井板１９に当接する位置まで取付具２５を埋込孔１９１に装着する。この状態で、取付具２５の側面に形成された切込部２５４を、図５に示すように内側から外側に押し出す。これにより、取付具２５の切込部２５４と鍔部２５２により天井板１９が挟持され、天井板１９に取付具２５を支持することができる。
【００２３】
次に、取付具２５内のコネクタ２８を介して電源ユニット２７とＬＥＤモジュール２２を電気的に接続することで、図示しない点灯回路が構成される。
【００２４】
次に、取付具２５の底部２５１とシャーシ２１の凹部２１２に、チェーン２６の各端部を掛ける。そしてシャーシ２１の凹部２１２を、対向する取付具２５に嵌挿するとともに、取付孔２１３を取付けボルト３０に挿入する。また、取付けボルト３０に対し、ナット２１４をねじ込み保持させ、シャーシ２１を天井板１９に支持させる。
【００２５】
その後、ＬＥＤモジュール２２が取着される基板２４を、シャーシ２１の開口２１５にネジ止め固定する。そして、ＬＥＤモジュール２２をカバー２３で覆い取り付けを完了する。
【００２６】
この発明の実施形態によれば、取付具を天井板に取付けた上でシャーシを固定するようにしたことから、吊りボルトに依存することがなくなり、よって照明器具の薄型化が可能となる。
【００２７】
また、吊りボルトに依存せずにシャーシが固定できるため、照明器具の取付けレイアウトの幅が広がり施工面での自由度が向上する。
【００２８】
また、シャーシ２１などの落下防止のために取り付けられたチェーン２６は、一方の凹部２１２と取付具２５のみに取り付けてもよく、あるいは２ヶ所の凹部２１２と取付具２５に取り付けてもよい。
【００２９】
なお、上記説明では光源としてＬＥＤを用いた照明器具について説明したが、蛍光灯等の他の光源であっても構わない。
【００３０】
上記実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、組み合わせ、変更を行うことができる。これら実施形態やその変形は、発明の範囲や要旨に含まれるとともに、特許請求の範囲に記載された発明とその均等の範囲に含まれる。
【符号の説明】
【００３１】
１９  天井板
２０  照明器具
２１  シャーシ
２１１  底面部
２１２  凹部
２１３  取付孔
２１４  ナット
２１５  開口
２２  ＬＥＤモジュール
２２１  回路基板
２２２  ＬＥＤ
２３  カバー
２４  基板
２５  取付具
２５１  底部
２５２  鍔部
２５４  切込部
２７  電源ユニット
【図１】
2013062062.tif 000003
【図２】
2013062062.tif 000004
【図３】
2013062062.tif 000005
【図４】
2013062062.tif 000006
【図５】
2013062062.tif 000007
【図６】
2013062062.tif 000008